(57)【要約】【課題】  不要な通信負荷を減少させ装置全体の通信負荷を最適化し、不要な通信負荷による電力消費を減少させることのできる画像形成システム，画像形成装置を提供する。【解決手段】  制御手段によって制御される画像形成装置と、前記制御手段とは別の制御手段により制御されるオプション装置とを備えた画像形成システムにおいて、前記画像形成装置の制御手段と前記オプション装置の制御手段との間で所定の通信間隔で通信を行う際に、前記画像形成装置の状態に応じて（Ｓ６０６）前記所定の通信間隔を変更する（Ｓ６０７，Ｓ６０８）。【選択図】        図６
2006088639.tif 000002
【特許請求の範囲】
【請求項１】
制御手段によって制御される画像形成装置と、前記制御手段とは別の制御手段により制御されるオプション装置とを備えた画像形成システムにおいて、
前記画像形成装置の制御手段と前記オプション装置の制御手段との間で所定の通信間隔で通信を行う際に、前記画像形成装置の状態に応じて前記所定の通信間隔を変更することを特徴とする画像形成システム。
【請求項２】
請求項１に記載の画像形成システムにおいて、
前記画像形成装置の状態は、画像形成装置が画像形成動作を行っているか否かであることを特徴とする画像形成システム。
【請求項３】
請求項２に記載の画像形成システムにおいて、
前記画像形成装置が画像形成動作を行っている場合には、画像形成動作を行っていない場合に比べて、前記オプション装置との間の通信間隔を短くすることを特徴とする画像形成システム。
【請求項４】
制御手段によって制御される画像形成装置と、前記制御手段とは別の制御手段により制御されるオプション装置とを備えた画像形成システムにおいて、
前記画像形成装置の制御手段と前記オプション装置の制御手段との間で所定の通信手段で通信を行う際に、前記画像形成装置の状態に応じて前記通信手段を変更することを特徴とする画像形成システム。
【請求項５】
請求項４に記載の画像形成システムにおいて、
前記画像形成装置の状態は、画像形成装置が画像形成動作を行っているか否かであることを特徴とする画像形成システム。
【請求項６】
請求項５に記載の画像形成システムにおいて、
前記画像形成装置が画像形成動作中の場合には、第１の通信間隔で通信を行う第１の通信手段を介して通信を行い、前記画像形成装置が画像形成動作中でなければ前記第１の通信間隔に比べて長い通信間隔である第２の通信間隔で通信を行う第２の通信手段を介して通信を行うことを特徴とする画像形成システム。
【請求項７】
請求項１ないし６のいずれかに記載の画像形成システムにおいて、
前記オプション装置は、転写紙給紙装置、原稿給紙装置、原稿読み取り装置、後処理装置の少なくとも１つであることを特徴とする画像形成システム。
【請求項８】
オプション装置を装着可能な画像形成装置において、
前記オプション装置との間で所定の通信間隔で通信を行う際に、前記画像形成装置の動作状態に応じて前記所定の通信間隔を変更することを特徴とする画像形成装置。
【請求項９】
制御手段によって制御される画像形成装置と、前記制御手段とは別の制御手段により制御されるオプション装置とを備えた画像形成システムにおける通信方法であって、
前記画像形成装置の制御手段と前記オプション装置の制御手段との間で所定の通信間隔で通信を行う際に、前記画像形成装置の動作状態に応じて前記所定の通信間隔を変更することを特徴とする画像形成システムの通信方法。
【発明の詳細な説明】
【技術分野】
【０００１】
本発明は複写機、プリンタ等の画像形成装置における通信手法に関し、特に通信負荷の最適化に関するものである。
【背景技術】
【０００２】
例えば高機能の画像形成システムのように、画像形成装置本体、転写紙給紙装置、原稿給紙装置、原稿読み取り装置、後処理装置等の複数の装置により構成されるシステムでは、メイン制御装置が他の複数のオプション装置と通信を行いながら画像形成処理を行っている。
【０００３】
そのような場合の通信手法の一つとして、メイン制御装置がオプション装置に所定間隔でアクセスするポーリング通信を行うことにより、オプション装置から所定の情報を取得するようにした技術がある（特許文献１、特許文献２）。
【０００４】
ここでポーリングの間隔は、やり取りする情報のうち最も更新頻度が高い情報に合わせて設計を行っている。例えばメイン制御装置を画像形成装置本体とし、オプション装置として転写紙給紙装置を考えた場合には、やり取りする情報として給紙装置内の紙あり，なし情報、紙サイズ情報、給紙装置から画像形成装置本体へ転写紙を搬送する際のセンサ情報などがある。このうち、転写紙搬送時に転写紙の位置検出を行うセンサに関しては非常に高精度の位置検出が必要とされるため、通信間隔として数ｍｓ間隔が必要とされる。その結果、画像形成装置本体と転写紙給紙装置との間では常に数ｍｓ間隔でポーリング通信を行っている。
【特許文献１】特開２００２−１７１３７１号公報
【特許文献２】特開２００３−１２２１９８号公報
【発明の開示】
【発明が解決しようとする課題】
【０００５】
しかしながら、通信を行う装置によっては常に短い通信間隔で通信を行う必要のないものもある。例えば画像形成装置本体と転写紙給紙装置との間の通信においては、画像形成中には転写紙の位置検出を行う必要があるため、短い間隔でポーリング通信を行う必要があるが、画像形成を行っていない場合には、それほど短い間隔でのポーリング通信は必要ではない。この場合には、給紙装置内の紙あり，なし情報や紙サイズ情報が変化したことが検知できれば良く、せいぜい数１００ｍｓ間隔のポーリング通信を行うことができれば十分である。
【０００６】
一方で通信の頻度が高くなると通信負荷が増加することになる。特に画像形成装置本体を考えた場合、画像形成を行っていない場合にはオプション装置との通信の必要性が低下する一方で、ＰＣ等のコントローラ装置との間での情報の授受および画像データの受信のための通信の必要性が増加する。そのため、不要な通信負荷をできるだけ減らすことが望ましい。
【０００７】
また同様に通信の頻度が高くなると電力消費も増加することになる。特に小型の画像形成装置システム等において、通信装置の構成がバッテリを使用する構成であれば、通信のたびに制御部に通電させる必要がある。そのため、この場合にも不要な通信負荷はできるだけ減らすことが望ましい。
【０００８】
本発明は、このような状況のもとでなされたもので、不要な通信負荷を減少させ、装置全体の通信負荷を最適化し、不要な通信負荷による電力消費を減少させることのできる画像形成システム，画像形成装置、画像形成方法を提供することを課題とする。
【課題を解決するための手段】
【０００９】
前記課題を解決するため、本発明では、画像形成システムを次の（１）のとおりに構成する。
【００１０】
（１）制御手段によって制御される画像形成装置と、前記制御手段とは別の制御手段により制御されるオプション装置とを備えた画像形成システムにおいて、
前記画像形成装置の制御手段と前記オプション装置の制御手段との間で所定の通信間隔で通信を行う際に、前記画像形成装置の状態に応じて前記所定の通信間隔を変更することを特徴とする画像形成システム。
【発明の効果】
【００１１】
本発明によれば、画像形成装置の制御手段とオプション装置の制御手段との間で所定間隔で通信を行うような画像形成システムにおいて、装置の状態に応じてポーリング通信の間隔を変更することで、不要な通信負荷を減少させ、装置全体の通信負荷を最適化することができる。または、不要な通信負荷を減少させることにより電力消費を減少させることができる。
【発明を実施するための最良の形態】
【００１２】
以下、本発明を実施するための最良の形態を画像形成システムの実施例により詳しく説明する。なお、本発明は、システムの形に限らず、実施例の説明に裏付けられて画像形成装置、画像形成方法の形で実施することもできる。
【実施例１】
【００１３】
図５は実施例１である“画像形成システム”の構成を示すブロック図であり、図１は同システムで用いる画像形成装置（フルカラープリンタ）の構成を示す断面図である。
【００１４】
本画像形成装置は、イエロー色の画像を形成する画像形成部１Ｙと、マゼンタ色の画像を形成する画像形成部１Ｍと、シアン色の画像を形成する画像形成部１Ｃと、ブラック色の画像を形成する画像形成部１Ｂｋの４つの画像形成部（画像形成ユニット）を備えており、これら４つの画像形成部１Ｙ，１Ｍ，１Ｃ，１Ｂｋは一定の間隔において一列に配置される。
【００１５】
各画像形成部１Ｙ，１Ｍ，１Ｃ，１Ｂｋには、それぞれ像担持体としてのドラム型の電子写真感光体（以下、感光ドラムという）２ａ，２ｂ，２ｃ，２ｄが設置されている。各感光ドラム２ａ，２ｂ，２ｃ，２ｄの周囲には、一次帯電器３ａ，３ｂ，３ｃ，３ｄ、現像装置４ａ，４ｂ，４ｃ，４ｄ、転写手段としての転写ローラ５ａ，５ｂ，５ｃ，５ｄ、ドラムクリーナ装置６ａ、６ｂ、６ｃ、６ｄがそれぞれ配置されており、一次帯電器３ａ，３ｂ，３ｃ，３ｄと現像装置４ａ，４ｂ，４ｃ，４ｄとの間の下方には、レーザ露光装置７が設置されている。
【００１６】
各現像装置４ａ，４ｂ，４ｃ，４ｄには、それぞれイエロートナー、シアントナー、マゼンタトナー、ブラックトナーが収納されている。
【００１７】
各感光ドラム２ａ，２ｂ，２ｃ，２ｄは、負帯電のＯＰＣ感光体でアルミニウム製のドラム基体上に光導電層を有しており、駆動装置（不図示）によって矢印方向（図１における時計回り方向）に所定のプロセススピードで回転駆動される。
【００１８】
一次帯電手段としての一次帯電器３ａ，３ｂ，３ｃ，３ｄは、帯電バイアス電源（不図示）から印加される帯電バイアスによって各感光ドラム２ａ，２ｂ，２ｃ，２ｄの表面を負極性の所定電位に均一に帯電する。
【００１９】
現像装置４ａ，４ｂ，４ｃ，４ｄは、トナーを内蔵し、それぞれ各感光ドラム２ａ，２ｂ，２ｃ，２ｄ上に形成される各静電潜像に各色のトナーを付着させてトナー像として現像（可視像化）する。
【００２０】
一次転写手段としての転写ローラ５ａ，５ｂ，５ｃ，５ｄは、各一次転写部３２ａ〜３２ｄにて中間転写ベルト８を介して各感光ドラム２ａ，２ｂ，２ｃ，２ｄに当接可能に配置されている。
【００２１】
ドラムクリーナ装置６ａ、６ｂ、６ｃ、６ｄは、感光ドラム２上で一次転写時の残留した転写残トナーを、該感光ドラム２から除去するためのクリーニングブレード等を有している。
【００２２】
中間転写ベルト８は、各感光ドラム２ａ，２ｂ，２ｃ，２ｄの上面側に配置されて、二次転写対向ローラ１０とテンションローラ１１間に張架されていて、該二次転写対向ローラ１０は、二次転写部３４において、中間転写ベルト８を介して二次転写ローラ１２と当接可能に配置されている。この中間転写ベルト８は、ポリカーボネート、ポリエチレンテレフタレート樹脂フィルム、ポリフッ化ビニリデン樹脂フィルム等のような誘電体樹脂によって構成されている。
【００２３】
また、この中間転写ベルト８は、感光ドラム２ａ，２ｂ，２ｃ，２ｄとの対向面側に形成された一次転写面（８ｂ）を、二次転写ローラ１２側を下方にして傾斜配置してある。
【００２４】
すなわち、中間転写ベルト８は、感光ドラム２ａ，２ｂ，２ｃ，２ｄの上面に移動可能に対向配置されて該感光ドラム２との対向面側に形成された一次転写面、すなわち下部平面８ｂを、二次転写部３４側が下方となるように傾斜配置されている。具体的には、この傾斜角度は約１５°に設定されている。また、中間転写ベルト８は、二次転写部３４側に配置されて該中間転写ベルト８に駆動力を付与する二次転写対向ローラ１０と、一次転写部３２ａ〜３２ｄを挟んで対向側に配置され中間転写ベルト８に張力を付与するテンションローラ１１との二本で張架されている。
【００２５】
二次転写対向ローラ１０は、二次転写部３４にて中間転写ベルト８を介して二次転写ローラ１２と当接可能に配置されている。また、無端状の中間転写ベルト８の外側で、テンションローラ１１の近傍には、該中間転写ベルト８の表面に残った転写残トナーを除去して回収するベルトクリーニング装置（不図示）が設置されている。また、二次転写部３４よりも転写材Ｐの搬送方向の下流側には、定着ローラ１６ａと加圧ローラ１６ｂを有する定着装置１６が縦パス構成で設置されている。
【００２６】
露光装置７は、与えられる画像情報の時系列電気デジタル画素信号に対応した発光を行うレーザ発光手段、ポリゴンレンズ、反射ミラー等で構成され、各感光ドラム２ａ、２ｂ、２ｃ、２ｄに露光をすることによって、各一次帯電器３ａ，３ｂ，３ｃ，３ｄで帯電された各感光ドラム２ａ，２ｂ，２ｃ，２ｄの表面に画像情報に応じた各色の静電潜像を形成する。前記レーザ発光手段は、レーザの出力電流を切り替えることにより、レーザパワーを１５段階に変更可能である。
【００２７】
次に、前記した画像形成装置による画像形成動作について説明する。
画像形成開始信号が発せられると、所定のプロセススピードで回転駆動される各画像形成部１Ｙ，１Ｍ，１Ｃ，１Ｂｋの各感光ドラム２ａ，２ｂ，２ｃ，２ｄは、それぞれ一次帯電器３ａ，３ｂ，３ｃ，３ｄによって一様に負極性に帯電される。そして、露光装置７は、外部から入力されるカラー色分解された画像信号をレーザ発光素子から照射し、ポリゴンレンズ、反射ミラー等を経由し各感光ドラム２ａ，２ｂ，２ｃ，２ｄ上に各色の静電潜像を形成する。
【００２８】
そして、まず感光ドラム２ａ上に形成された静電潜像に、感光ドラム２ａの帯電極性（負極性）と同極性の現像バイアスが印加された現像装置４ａにより、イエローのトナーを付着させてトナー像として可視像化する。このイエローのトナー像は、感光ドラム２ａと転写ローラ５ａとの間の一次転写部３２ａにて、一次転写バイアス（トナーと逆極性（正極性））が印加された転写ローラ５ａにより、駆動されている中間転写ベルト８上に一次転写される。
【００２９】
イエローのトナー像が転写された中間転写ベルト８は、画像形成部１Ｍ側に移動される。そして、画像形成部１Ｍにおいても、前述と同様にして、感光ドラム２ｂに形成されたマゼンタのトナー像が、中間転写ベルト８上のイエローのトナー像上に重ね合わせて、一次転写部３２ｂにて転写される。
【００３０】
この時、各感光ドラム２上に残留した転写残トナーは、ドラムクリーナ装置６ａ、６ｂ、６ｃ、６ｄに設けられたクリーナブレード等により掻き落とされ、回収される。
【００３１】
以下、同様にして、中間転写ベルト８上に重畳転写されたイエロー、マゼンタのトナー像上に画像形成部１Ｃ，１Ｂｋの感光ドラム２ｃ，２ｄで形成されたシアン、ブラックのトナー像を各一次転写部３２ｃ、３２ｄにて順次重ね合わせて、フルカラーのトナー像を中間転写ベルト８上に形成する。
【００３２】
そして、中間転写ベルト８上のフルカラーのトナー像先端が、二次転写対向ローラ１０と二次転写ローラ１２間の二次転写部３４に移動されるタイミングに合わせて、給紙カセット１７又は手差しトレイ２０から選択されて搬送パス１８を通して給紙される転写材（用紙）Ｐが、レジストローラ１９により二次転写部３４に搬送される。二次転写部３４に搬送された転写材Ｐに、二次転写バイアス（トナーと逆極性（正極性））が印加された二次転写ローラ１２により、フルカラーのトナー像が一括して二次転写される。
【００３３】
フルカラーのトナー像が形成された転写材Ｐは、定着装置１６に搬送されて、定着ローラ１６ａと加圧ローラ１６ｂとの間の定着ニップ部でフルカラーのトナー像が加熱、加圧されて転写材Ｐの表面に熱定着された後に、排紙ローラ２１によって本体上面の排紙トレイ２２上に排出されて、一連の画像形成動作を終了する。なお、中間転写ベルト８上に残った二次転写残トナー等は、ベルトクリーニング装置によって除去されて回収される。
以上が片面画像形成時の画像形成動作である。
【００３４】
続いて本画像形成装置での両面画像形成動作について説明する。
定着装置１６に搬送されるところまでは片面画像形成動作と同様であり、定着ローラ１６ａと加圧ローラ１６ｂとの間の定着ニップ部でフルカラーのトナー像が加熱、加圧されて転写材Ｐの表面に熱定着された後に、排紙ローラ２１によって本体上面の排紙トレイ２２上に転写材Ｐの大部分を排出された状態で、排紙ローラ２１の回転を停止する。その際、転写材Ｐの後端位置が反転可能位置４２に到達しているように、停止している。
【００３５】
つづいて、排紙ローラ２１の回転を停止させたことで搬送が停止された転写材Ｐを両面ローラ４０、４１を備えた両面パスへと送り込むべく、排紙ローラ２１を通常回転とは逆回転させる。排紙ローラ２１を逆回転させることにより、反転位置４２に位置していた転写材Ｐの後端側を先端側とし、両面ローラ４０に到達させる。
【００３６】
その後両面ローラ４０により転写材Ｐを両面ローラ４１へと搬送し、両面ローラ４０、４１によりレジストローラ１９に向かって転写材Ｐを順次搬送していき、その間画像形成開始信号を発生させ、前述の片面画像形成時と同様、中間転写ベルト８上のフルカラーのトナー像先端が、二次転写対向ローラ１０と二次転写ローラ１２間の二次転写部３４に移動されるタイミングに合わせてレジストローラ１９により二次転写部３４へと転写材Ｐを移動させる。
【００３７】
二次転写部３４にてトナー像先端と転写材Ｐの先端を一致させ、トナー像を転写させた以降は、片面画像形成動作と同様に、定着装置１６にて転写材Ｐ上の画像を定着させ、再度排紙ローラ２１によって搬送され、最終的に排紙トレイ２２上に排出されて、一連の画像形成動作を終了する。
【００３８】
図２は、画像形成装置内の制御ブロック図である。１７１は画像形成装置の基本制御を行うＣＰＵであり、制御プログラムが書き込まれたＲＯＭ１７４と処理を行うためのワークＲＡＭ１７５、入出力ポート１７３がアドレスバス、データバスにより接続されている。入出力ポート１７３には、画像形成装置を制御する、モータ、クラッチ等の各種負荷（不図示）や、紙の位置を検知するセンサ等の入力（不図示）が接続されている。
【００３９】
ＣＰＵ１７１はＲＯＭ１７４の内容にしたがって入出力ポート１７３を介して順次入出力の制御を行い画像形成動作を実行する。又、ＣＰＵ１７１には操作部１７２が接続されており、操作部１７２の表示手段、キー入力手段を制御する。操作者はキー入力手段をとおして、画像形成動作モードや、表示の切り替えをＣＰＵ１７１に指示し、ＣＰＵ１７１は画像形成装置１００の状態や、キー入力による動作モード設定の表示を行う。ＣＰＵ１７１には、ＰＣなど外部機器からの画像データ・処理データなどを送受信する外部Ｉ／Ｆ処理部４００、画像を伸張処理や一時的に蓄積処理などをする画像メモリ部３００、画像メモリ部３００から転送されたライン画像データを露光装置７に露光させるべく処理が行われる画像形成部２００（図１の画像形成部１に相当）が接続されている。
【００４０】
次に、図３に従って画像メモリ部３００の詳細を述べる。画像メモリ部３００では、ＤＲＡＭ等のメモリで構成されるページメモリ３０１に、メモリコントローラ部３０２を介して外部Ｉ／Ｆ処理部４００から受け取った画像データを書き込み、画像形成部２００への画像読み出しなど画像の入出力のアクセスを行う。
【００４１】
メモリコントローラ部３０２は、外部Ｉ／Ｆ処理部４００から受け取った外部機器からの画像データが圧縮データであるか否かの判断を行い、圧縮データであると判断された場合、圧縮データ伸張処理部３０３を用いて伸張処理を行った後、メモリコントローラ部３０２を介してページメモリ３０１へ書き込み処理がなされる。
【００４２】
メモリコントローラ部３０２は、ページメモリ３０１のＤＲＡＭリフレッシュ信号の発生を行い、又、画像Ｉ／Ｆ処理部４００からの書き込み、画像形成部２００への読み出しに対するページメモリ３０１へのアクセスの調停を行う。更に、ＣＰＵ１７１の指示に従い、ページメモリ３０１への書き込みアドレス、ページメモリ３０１からの読み出しアドレス、読み出し方向などの制御をする。
【００４３】
図４に従って、外部Ｉ／Ｆ処理部４００の詳細を述べる。
外部Ｉ／Ｆ処理部４００では、外部装置５００から送信される画像データおよびプリントコマンドデータをＵＳＢ  Ｉ／Ｆ部４０１、セントロＩ／Ｆ部４０２、ネットワークＩ／Ｆ部４０３のいずれかを介して受信したり、またＣＰＵ１７１で判断された画像形成装置の状態情報などを外部装置５００に対し送信する。ここで外部装置５００は、コンピュータやワークステーションなどである。
【００４４】
外部装置５００からＵＳＢ  Ｉ／Ｆ部４０１、セントロＩ／Ｆ部４０２、ネットワークＩ／Ｆ部４０３のいずれかを介して受信したプリントコマンドデータはＣＰＵ１７１にて処理され、プリント動作を画像形成部２００や図２のＩ／Ｏ１７３などを用いてプリント動作を実行する設定やタイミングを生成する。
【００４５】
外部装置５００からＵＳＢ  Ｉ／Ｆ部４０１、セントロＩ／Ｆ部４０２、ネットワークＩ／Ｆ部４０３のいずれかを介して受信した画像データは、プリントコマンドデータに基づくタイミングに応じて画像メモリ部３００に送信され、画像形成部２００にて画像形成されるべく、処理される。
【００４６】
図５により本実施例の画像形成システムの構成を説明する。外部ＰＣ／ＷＳ５００は図４で説明したものと同一の装置であり、画像形成装置５０１に対して画像データおよびプリントコマンドデータを送信する。画像形成装置５０１は、図１で説明したフルカラープリンタである。
【００４７】
転写紙給紙装置５０２は図１の給紙カセット１７、手差しトレイ２０と同様に画像形成装置に対して転写紙を給紙する装置である。ただし、給紙カセット１７、手差しトレイ２０で使用しているモータやセンサは、図２のＣＰＵ１７１によって制御されるのに対し、転写紙給紙装置５０２では装置内のＣＰＵ５２１により、モータ５２２、センサ５２３が制御される構成になっている。
【００４８】
ＣＰＵ１７１とＣＰＵ５２１はポーリング通信により通信を行っており、ＣＰＵ１７１はＣＰＵ５２１を介して転写紙給紙装置５０２の制御、または情報の取得を行っている。例えば、画像形成装置５０１に転写紙給紙装置５０２から転写紙を給紙する場合には、ＣＰＵ１７１がＣＰＵ５２１に対してモータＯＮの命令を発行することにより、ＣＰＵ５２１の制御によってモータ５２２の制御が行われる。また、給紙した紙が正常に搬送されているか否かは、ＣＰＵ１７１がＣＰＵ５２１に対してセンサ情報要求を発行することにより、ＣＰＵ５２１が取得したセンサ５２３の情報がＣＰＵ１７１に通知される。
【００４９】
原稿給紙／読み取り装置５０３は、原稿の画像データを読み取り、読み取った画像データを画像形成装置５０１に送信する装置である。後処理装置５０４は、画像形成装置５０１から排出された転写紙に対してステイプル、パンチ等の後処理を行う装置である。
【００５０】
図６に本画像形成システムにおける画像形成装置５０１と転写紙給紙装置５０２との間のポーリング通信処理についてのフローチャートを示す。この処理は、ＣＰＵ１７１、ＣＰＵ５２１により行われる。
【００５１】
転写紙給紙装置５０２は画像形成装置５０１から電源供給を受けており、画像形成装置５０１に電源が投入されると転写紙給紙装置５０２も起動する構成になっている（Ｓ６０１）。
【００５２】
画像形成装置５０１、転写紙給紙装置５０２に電源が投入されると、まず初期化のための通信が開始される。ここでは、お互いの通信が正しく行われているかの確認が行われる（Ｓ６０２）。
【００５３】
初期化通信が終了すると、画像形成装置５０１と転写紙給紙装置５０２の間でポーリングによる通信が開始される。
【００５４】
図７は本実施例において送受信されるデータの一例を示すフロー図である。送受信されるデータは１回につき１バイト（８ビット）の情報である。最上位１ビットは通信が正しく行われているか判定するためのパリティビットになっている。次の３ビットが通信の内容を示すためのＩＤが入っている。モータのＯＮ／ＯＦＦを要求する場合には００１、センサの情報を要求する場合には０１１を設定する。下位４ビットがデータ部分であり、７０１ではモータのＯＮを要求する意味で０００１が設定されている。同様に７０２では転写紙給紙装置５０２側がモータをＯＮしたという意味で０００１を設定している。また、７０３は情報を要求するセンサのＩＤとして０００１が設定されており、７０４ではセンサのＯＮ・ＯＦＦ情報としてセンサがＯＦＦになっているという意味で００００を設定している。
【００５５】
本実施例においては、画像形成装置５０１が転写紙給紙装置５０２に送信する通信の内容としてはモータ制御のためのデータ授受と、センサのデータ授受とを交互に行っている。
【００５６】
画像形成装置５０１はデータの送信を行った（Ｓ６０３）後、転写紙給紙装置５０２からのデータを受信するための割り込みを許可し（Ｓ６０４）、データを受信する（Ｓ６０５）。
【００５７】
このようにして１組のデータの送受信を行った後、次のデータを送受信するまでの間隔（ポーリング間隔）を決める。
【００５８】
画像形成装置５０１は自身が画像データを受信して画像形成を行っている状態であれば、モータとセンサ制御を短間隔で行う必要があると判断してポーリング間隔を２ｍｓとして設定する（Ｓ６０７）。また、画像形成中でない場合には、短間隔で通信を行う必要はないと判断してポーリング間隔を１００ｍｓとして設定する（Ｓ６０８）。
【００５９】
以上のような判断による通信を画像形成装置５０１の電源供給が停止されるまで繰り返す（Ｓ６０９）。
【００６０】
以上説明したように、本実施例によれば、画像形成中であるか否かすなわち装置の状態に応じてポーリング通信の間隔を変更することで、不要な通信負荷を減少させ、装置全体の通信負荷を最適化し、不要な通信負荷による電力消費を減少させることのできる
【実施例２】
【００６１】
実施例２である“画像形成システム”について説明する。本実施例のハードウエア構成は実施例１と同じなので、実施例１の説明を援用する。
【００６２】
実施例１においては、画像形成装置５０１内の通信手段のポーリング間隔を切り替えることにより、画像形成装置の状態に応じて通信間隔を切り替えられる構成としたが、本実施例では、図８に示すように、画像形成装置の状態に応じて複数の通信手段を切り替える（Ｓ８０６〜Ｓ８０８）構成とした。
【００６３】
すなわち、画像形成装置５０１は自身が画像データを受信して画像形成を行っている状態であれば、モータとセンサ制御を短間隔で行う必要があると判断して、それに適した通信間隔の通信手段１を使用するように通信手段を切り替え（Ｓ８０７）、また画像形成中でない場合には、短間隔で通信を行う必要はないと判断して、それに適した、前記通信手段１よりも通信間隔の長い通信手段２に切り替えるようにする（Ｓ８０８）ことによって実施例１と同様の効果を得ることができる。
【図面の簡単な説明】
【００６４】
【図１】実施例１で用いる画像形成装置の構成を示す側断面図
【図２】制御系の構成を示すブロック図
【図３】画像メモリ部の構成を示す図
【図４】外部Ｉ／Ｆ処理部の構成を示す図
【図５】実施例１である画像形成システムの構成を示す図
【図６】ポーリング通信処理のフローチャート
【図７】送受信されるデータの一例を示す図。
【図８】実施例２におけるポーリング通信処理のフローチャート
【符号の説明】
【００６５】
１７１      ＣＰＵ
５０１      画像形成装置
５０２      転写紙給紙装置
５２１      ＣＰＵ
【図１】
2006088639.tif 000003
【図２】
2006088639.tif 000004
【図３】
2006088639.tif 000005
【図４】
2006088639.tif 000006
【図５】
2006088639.tif 000007
【図６】
2006088639.tif 000008
【図７】
2006088639.tif 000009
【図８】
2006088639.tif 000010